【手続補正書】
【提出日】平成15年7月3日(2003.7.3)
【手続補正１】
【補正対象書類名】明細書
【補正対象項目名】特許請求の範囲
【補正方法】変更
【補正の内容】
【特許請求の範囲】
【請求項１】
遠隔通信網（１０）、特に無線遠隔通信網におけるショートメッセージ（５）の伝送方法であって、この場合加入者（６０）あてに遠隔通信網に転送されるショートメッセージ（５）に依存して、１つの通知が遠隔通信網（１０）の加入者（６０）に送信される形式の方法において、
通知と共に、ショートメッセージ（５）の構造および/または内容に関する情報を含んだデータが加入者（６０）に伝送されるようにしたことを特徴とする方法。
【請求項２】
前記通知の前に、遠隔通信網（１０）に転送されたショートメッセージ（５）の有無に関する情報を含んだメッセージが加入者（６０）に送信される、請求項１記載の方法。
【請求項３】
前記通知は、加入者（６０）から遠隔通信網（１０）にリクエスト信号が送出された後でのみ加入者（６０）に伝送される、請求項１または２記載の方法。
【請求項４】
前記通知として、ショートメッセージ（５）の構造および/または内容に関する情報を伴うデータを含んでいる、ショートメッセージ（５）の第１のデータ領域（１５）が加入者（６０）に伝送される、請求項１から３いずれか１項記載の方法。
【請求項５】
前記ショートメッセージ（５）の第１のデータ領域（１５）は、テキストベースである、請求項４記載の方法。
【請求項６】
ショートメッセージ（５）の構造に関する情報と共に、ショートメッセージ（５）のデータ領域（１５，２０，２５，３０）の数に関する情報および/またはデータ領域（１５，２０，２５，３０）のデータフォーマットに関する情報および/またはデータ領域（１５，２０，２５，３０）のサイズに関する情報が、加入者（６０）に伝送される、請求項１から５いずれか１項記載の方法。
【請求項７】
ショートメッセージ（５）の内容に関する情報と共に、ショートメッセージ（５）における様々なデータタイプの有無に関する情報、特にショートメッセージ（５）の種々のデータ領域（１５，２０，２５，３０）における様々なデータタイプの有無に関する情報が加入者（６０）に伝送される、請求項１から６いずれか１項記載の方法。
【請求項８】
ショートメッセージ（５）の構造および/または内容に関する情報と共に、ショートメッセージ（５）内に記憶されているデータの送信者に関する情報が、加入者（６０）に伝送される、請求項１から７いずれか１項記載の方法。
【請求項９】
ショートメッセージ（５）の構造および/または内容に関する情報は、加入者（６０）のもとで受信した通知から読出され、表示装置に表示される、請求項１から８いずれか１項記載の方法。
【請求項１０】
ショートメッセージ（５）の構造および/または内容に関する情報は、メニュー制御されて表示装置に表示され、その際に相応のメニュー構造が、加入者（６０）のもとでショートメッセージ（５）の構造および/または内容に関する読出された情報に依存して生成される、請求項９記載の方法。
【請求項１１】
ショートメッセージ（５）の構造および/または内容に関する情報は、リスト構造を用いて表示装置に表示され、その中からショートメッセージ（５）の少なくとも１つの部分が処理のために選択可能である、請求項９または１０記載の方法。
【請求項１２】
ショートメッセージ（５）の構造および/または内容に関する情報は、加入者（６０）の加入者局において直接処理される、請求項１から１１いずれか１項記載の方法。
【請求項１３】
ショートメッセージ（５）の構造および/または内容に関する情報は、特にネットワークプロバイダまたはサービスプロバイダに関する処理のために、加入者（６０）の識別モジュールに伝送される、請求項１から１２いずれか１項記載の方法。
【請求項１４】
通知と共に第１のヘッド情報とメッセージが加入者（６０）に伝送され、この場合第１のヘッド情報は、メッセージの内容に関する少なくとも１つの情報を含み、メッセージは、ショートメッセージ（５）の構造および/または内容に関する情報を含んでいる、請求項１から１３いずれか１項記載の方法。
【請求項１５】
メッセージと共に第２のヘッド情報と有効データが加入者（６０）に伝送され、この場合第１のヘッド情報は、第２のヘッド情報の有無に関する情報を含み、第２のヘッド情報は、実行すべき通知の評価の形式に関する少なくとも１つの情報を含んでいる、請求項１４記載の方法。
【請求項１６】
前記ショートメッセージ（５）として電子郵便サービス、特にインターネットＥメールメッセージが遠隔通信網（１０）に転送される、請求項１から１５いずれか１項記載の方法。
【請求項１７】
前記通知は、ＧＳＭ（Global System for Mobile Communications規格によるＳＭＳ（Short Message Service）メッセージとして加入者（６０）に伝送される、請求項１から１６いずれか１項記載の方法。
【請求項１８】
送信側、特に移動送信局からのショートメッセージ（５）が、中央局、特にネットワークプロバイダ（７０）の中央局に対して、遠隔通信網（１０）に転送される、請求項１から１７いずれか１項記載の方法。
【請求項１９】
中央局からのショートメッセージ（５）が受信された場合に、送信側に対して肯定応答メッセージが遠隔通信網（１０）に転送される、請求項１８記載の方法。
【請求項２０】
肯定応答メッセージがショートメッセージ（５）の形態で送信側に対して遠隔通信網（１０）に転送され、この場合１つの通知が送信側に肯定応答メッセージに依存して送信され、通知と共に肯定応答メッセージの構造および/または内容に関する情報を含んだデータが送信側に伝送される、請求項１９記載の方法。
【請求項２１】
肯定応答メッセージをＧＳＭ規格によるＳＭＳメッセージとして、さらに通知を第１のヘッド情報および/または第２のヘッド情報として送信側に対し、遠隔通信網（１０）に転送する、請求項１９または２０記載の方法。
【請求項２２】
中央局、特にネットワークプロバイダ（７０）の中央局からのショートメッセージ（５）を、受信側、特に移動受信局に対して、遠隔通信網（１０）に転送する、請求項１から２１いずれか１項記載の方法。
【請求項２３】
加入者（６０）から、遠隔通信網（１０）に転送される命令メッセージを用いて、ショートメッセージ（５）の少なくとも１つのデータ領域（１５，２０，２５，３０）が、命令メッセージの内容に依存して処理される、請求項１から２２いずれか１項記載の方法。
【請求項２４】
命令メッセージが加入者（６０）のもとで入力ユニットにおける少なくとも１つのユーザー入力に依存して作成される、請求項２３記載の方法。
【請求項２５】
命令メッセージが、加入者（６０）のもとでショートメッセージ（５）の構造および/または内容に関する情報に依存して自動的に作成される、請求項２３または２４記載の方法。
【請求項２６】
命令メッセージが、加入者（６０）に割当てられた加入者局の電力規模に依存して、および/または加入者（６０）によってプリセッティングされた命令基準に依存して作成される、請求項２３から２５いずれか１項記載の方法。
【請求項２７】
加入者（６０）によって遠隔通信網（１０）に転送された選択メッセージとして構成された命令メッセージを用いて、遠隔通信網（１０）からのショートメッセージ（５）の少なくとも１つのデータ領域（１５，２０，２５，３０）が要求され、少なくとも１つの要求されたショートメッセージ（５）のデータ領域（１５，２０，２５，３０）が加入者（６０）に転送される、請求項２３から２６いずれか１項記載の方法。
【請求項２８】
加入者（６０）から選択メッセージによって要求されたショートメッセージ（５）の少なくとも２つのデータ領域（１５，２０，２５，３０）が一緒に加入者（６０）に対して伝送される、請求項２７記載の方法。
【請求項２９】
加入者（６０）から選択メッセージによって要求されたショートメッセージ（５）の少なくとも２つのデータ領域（１５，２０，２５，３０）が時間的に分離されて加入者（６０）に伝送される、請求項２７または２８記載の方法。
【請求項３０】
加入者（６０）から、消去メッセージとして構成された命令メッセージが通信ネットワーク（１０）に転送され、該消去メッセージに依存してショートメッセージ（５）の少なくとも１つのデータ領域（１５，２０，２５，３０）が消去される、請求項２３から２９いずれか１項記載の方法。
【請求項３１】
加入者（６０）から、転送メッセージとして構成された命令メッセージが遠隔通信網（１０）に転送され、該転送メッセージに依存してショートメッセージ（５）の少なくとも１つのデータ領域（１５，２０，２５，３０）がさらなる加入者、特に遠隔通信網（１０）のさらなる加入者に転送される、請求項２３から３０いずれか１項記載の方法。
【請求項３２】
命令メッセージがショートメッセージ（５）の形態で中央局、特にネットワークプロバイダ（７０）の中央局に対して遠隔通信網（１０）に転送され、該命令メッセージに依存して通知が中央局に送信され、さらに該通知と共に命令メッセージの構造および/または内容に関する情報を含んだデータが中央局に伝送される、請求項２３から３１いずれか１項記載の方法。
【請求項３３】
前記命令メッセージと通知は、加入者（６０）の加入者局において直接作成される、請求項３２記載の方法。
【請求項３４】
前記命令メッセージと通知は、加入者（６０）の特にネットワークプロバイダまたはサービスプロバイダに関する識別モジュールによって作成される、請求項３２または３３記載の方法。
【請求項３５】
前記命令メッセージはＧＳＭ規格のＳＭＳメッセージとして、及び前記通知は、第１のヘッド情報および/または第２のヘッド情報として、中央局に対し遠隔通信網（１０）に転送される、請求項３２から３４いずれか１項記載の方法。
【請求項３６】
ショートメッセージ（５）の構造および/または内容に関する情報が、ショートメッセージ（５）の少なくとも２つのデータ領域（１５，２０，２５，３０）の構造および/または内容に関する情報から生成され、この場合これらの情報は、当該データ領域（１５，２０，２５，３０）から得られる、請求項１から３５いずれか１項記載の方法。